(57)【要約】【課題】濡れた手を乾燥させることができると共に、カウンターや送風機周辺の床面に飛び散った水滴をも容易に乾燥、除去させることができる送風機を提供する。【解決手段】洗面化粧台１，手洗器，流し台等の近傍に取り付けられ、風を生成する送風部材１５と、該送風部材１５に接続した送風管１８と、該送風管１８の先端に接続し、送風部材１５から送風される風を吹き出す送風口１１とを本体部９に備えた送風機８において、前記送風管１８に風の吹き出し方向を切り替える切替部材１４を装着し、該切替部材１４にホース１９を接続し、該ホース１９の先端に前記送風部材１５から送風される風を吹き出すノズル２０を結合した。【選択図】　図１
2004049702.tif 000002
【特許請求の範囲】
【請求項１】
洗面化粧台，手洗器，流し台等の近傍に取り付けられ、風を生成する送風部材と、該送風部材に接続した送風管と、該送風管の先端に接続し、送風部材から送風される風を吹き出す送風口とを本体部に備えた送風機において、前記送風管に風の吹き出し方向を切り替える切替部材を装着し、該切替部材にホースを接続し、該ホースの先端に前記送風部材から送風される風を吹き出すノズルを結合したことを特徴とする送風機。
【請求項２】
前記送風部材とノズルとの間には、殺菌作用のある薬剤を収容する収容部材を設けたことを特徴とする請求項１記載の送風機。
【請求項３】
前記洗面化粧台，手洗器，流し台等に浴室を隣接し、前記ホースは浴室内まで届く長さとしたことを特徴とする請求項１又は２記載の送風機。
【発明の詳細な説明】
【０００１】
【発明の属する技術分野】
本発明は、洗面化粧台，手洗器，流し台等の近傍に取り付けられ、手洗い後の濡れた手を乾燥させる送風機に関するものである。
【０００２】
【従来の技術】
従来、洗面化粧台，手洗器，流し台等の近傍に取り付けられ、濡れた手を乾燥させることができる送風機として公知のものに、図６のものがある。この図６について簡単に説明すると、洗面化粧台４１にはボウル４３を備えたカウンター４２が載置されており、該ボウル４３の奥側には水栓４４が取り付けられている。洗面化粧台４１の近傍の壁面４５に取り付けられた送風機４６は略箱型で、底面には風が吹き出す送風口４７を備えたものであり、該送風口４７の下方に手４８を差し出すと、送風機４６に取り付けられたセンサーが手４８を感知することにより、送風口４７から風が下方に向かって吹き出し、この風が手４８に付着した水滴を吹き飛ばすことで、手４８を乾燥させるものである。
【０００３】
上記の送風機においては、手に付着した水滴に向けて風を吹き出すことで手を乾燥させることができるため、洗面化粧台の水栓で手洗いの後に、タオル，ハンカチ等を使用しなくて済むが、洗面化粧台のカウンターや送風機周辺の床面には、水栓からボウルに向けて吐水された水が飛び散ったり、手に付着していた水滴が飛び散ってしまい、そのまま放置しておくと、次に使用する人に不衛生な感じを抱かせてしまうことがあった。
【０００４】
【発明が解決しようとする課題】
本発明が解決しようとする課題は、濡れた手を乾燥させることができると共に、カウンターや送風機周辺の床面に飛び散った水滴をも容易に乾燥、除去させることができる送風機を提供するものである。
【０００５】
【課題を解決するための手段】
本発明は請求項１では、洗面化粧台，手洗器，流し台等の近傍に取り付けられ、風を生成する送風部材と、該送風部材に接続した送風管と、該送風管の先端に接続し、送風部材から送風される風を吹き出す送風口とを本体部に備えた送風機において、前記送風管に風の吹き出し方向を切り替える切替部材を装着し、該切替部材にホースを接続し、該ホースの先端に前記送風部材から送風される風を吹き出すノズルを結合したものである。
【０００６】
請求項２では、前記送風部材とノズルとの間には、殺菌作用のある薬剤を収容する収容部材を設けたものである。
【０００７】
請求項３では、前記洗面化粧台，手洗器，流し台等に浴室を隣接し、前記ホースは浴室内まで届く長さとしたものである。
【０００８】
【発明の実施の形態】
以下、本発明の実施の形態を図に基づいて詳細に説明する。
図１に示すように、洗面所Ａに設置された洗面化粧台１は、キャビネット４の上面にボウル３を備えたカウンター２が載置されており、該ボウル３の奥側には水栓５が取り付けられている。該水栓５はハンドル６，６ａを操作すると給水源，給湯源から供給された水，湯が吐水口５ａから吐水されるものである。なお、本例では水栓として２ハンドル式を用いているが、これに限定されることなく、シングルレバー式，サーモスタット式等の水栓を用いても良い。
【０００９】
洗面化粧台１の近傍に立設した壁面７には、風を送風可能な送風機８が取り付けられており、図２及び図３に示すように送風機８は本体部９に送風部材１５と送風口１１とを備えている。本体部９は、左右何れの側方からも手を挿入可能なように左右に貫通する挿入口１０を上端面から切り欠いた箱形で、該挿入口１０の内側面には、本体部９に内蔵された送風部材１５から送風された風を吹き出す送風口１１を備えている。なお、本実施例では送風機を洗面化粧台の近傍に取り付けているが、手洗器又は流し台等の近傍に取り付けても良い。
【００１０】
前記送風部材１５は送風口１１及び後述するノズル２０に接続されたホース１９と連通する送風管１８に向けて空気を送るファン１６と、該ファン１６と連通し、ファン１６によって送られる空気を加熱して風とする熱源機１７とを備えており、送風部材１５により生成された風は、該送風部材１５に接続した送風管１８に装着された切替部材１４を操作することにより、送風口１１又はホース１９の何れかに吹き出し方向が切り替えられ、送風される。なお、本実施例では送風部材に熱源機を備え、温風を送風できるようにしているが、熱源機を取り外し、冷風を送風できるようにしても良い。
【００１１】
従って、洗面化粧台１の水栓５を使用して手を洗った人が、水滴が付着したままの手を送風機８の側方から本体部９の挿入口１０に手を差し込むと、前記送風口１１近傍に設けられたセンサー１２が手を感知し、この感知信号はコード１３を介して送風部材１５に送られ、該送風部材１５はファン１６及び熱源機１７を作動して風を発生させることができ、挿入口１０の送風口１１から風が吹き出して、手に付着した水滴を吹き飛ばし乾燥させることができる。
【００１２】
前記切替部材１４には、可撓性のあるゴム，樹脂等で形成されたホース１９が接続され、該ホース１９の先端に前記ノズル２０が結合されている。該ノズル２０は図２に示すように、使用者が容易に手に持つことができるように略Ｌ字形に形成されている。該ノズル２０の先端には風を送風するヘッド２１が形成されており、該ヘッド２１は本体部９の送風部材１５から送風された風を吹き出すものである。
【００１３】
前記ノズル２０のＬ字形の屈曲した部分には、操作毎に送風のＯＮ，ＯＦＦを切り替えるスイッチ２２が設けられており、スイッチ２２と送風部材１５とはコード２３により接続されており、該コード２３はホース１９の内部に挿通されている。スイッチ２２を操作すると、コード２３を介して送風部材１５に信号が送られ、該送風部材１５はファン１６及び熱源機１７が作動して風を生成させることができ、ノズル２０のヘッド２１から風が吹き出すものであり、スイッチ２２をもう一度操作すると、ファン１６及び熱源機１７の作動が停止し、風の吹き出しが停止するものである。
【００１４】
また、図１に示すように、ノズル２０は洗面化粧台１の近傍に設けられた係止具２５に係止されており、ノズル２０を使用する際に係止具２５からホース１９と共に引き出して、洗面化粧台１のカウンター２や洗面所Ａの床面Ｂに落下した水滴に向けて風を吹き出して使用するものである。前記送風部材１５とノズル２０との間には、薬剤が収容可能な収容部材２４が設けられており、収容部材２４を通過した風には薬剤が添加され、殺菌作用を有するものである。
【００１５】
上記の構成において、洗面化粧台１の水栓５で手を洗い終えた後に、手を乾燥させるために水滴で濡れた手を送風機８の側方から挿入口１０に挿入すると、センサー１２が手を感知し、感知信号はコード１３を介して送風部材１５に送られ、感知信号により送風部材１５が作動して風が生成されて送風口１１から吹き出し、手に付着した水滴を吹き飛ばすことで、手を乾燥させることができる。
【００１６】
次に、洗面化粧台１のカウンター２や洗面所Ａの床面Ｂに落下した水滴を除去するためには、ノズル２０をホース１９と共に引き出して使用する。即ち、本体部９の切替部材１４を操作してノズル２０側に風の吹き出し方向を切り替え、ノズル２０のスイッチ２２を操作すると、コード２３を介して送風部材１５に信号が送られ、送風部材１５が作動してノズル２０のヘッド２１より風が吹き出し、カウンター２や洗面所Ａの床面Ｂに落下した水滴を除去することができる。この場合、ノズル２０はホース１９と共に広い範囲に引き出すことができ、さらにノズル２０から吹き出す風には薬剤が添付されているので、殺菌効果が高く、水滴を除去するとともに清潔に保つことができる。
【００１７】
図４は本発明の別の実施例であり、洗面化粧台，手洗器，流し台等に送風機を直接取り付けたものである。なお、送風機の構成については先の実施例と同一であるので、同一物品には同一符号を用い、詳細な説明は省略する。また、本実施例の効果は先の実施例と同一である。
【００１８】
図５は本発明の更に別の実施例であり、洗面化粧台，手洗器，流し台等に浴室を隣接し、ノズルに結合されたホースは浴室内まで届く長さとしたものである。なお、その他の構成については先の実施例と同一であるので、同一物品には同一符号を用い、詳細な説明は省略する。洗面所Ａに隣接した浴室Ｃは、四方及び天井を壁面２８により覆われており、浴室Ｃ内は浴槽２６と洗い場２７とが隣接して配置されている。また、洗い場２７に配置されたカウンター２９には、湯水の温度及び流量を調節可能な水栓３０が取り付けられている。
【００１９】
洗面所Ａには風を送風可能な送風機８が取り付けられており、該送風機８の切替部材１４にはホース１９が接続され、該ホース１９の先端に前記ノズル２０が結合されている。該ホース１９は浴室Ｃ内まで届く長さであり、ノズル２０を引き出して使用する場合でも洗面所Ａだけでなく、洗面所Ａに隣接した浴室Ｃ内まで届き、ノズル２０のヘッド２１より吹き出す風は浴室Ｃ内の隅々にも届くものである。
【００２０】
上記の構成において、入浴後や浴室Ｃ内の清掃後等、浴室Ｃ内の洗い場２７，壁面２８，カウンター２９に落下した水滴を除去するためには、ノズル２０をホース１９と共に引き出して使用する。即ち、送風機８の切替部材１４を操作してノズル２０側に風の吹き出し方向を切り替え、ノズル２０のスイッチ２２を操作すると、コード２３を介して送風部材１５に信号が送られ、送風部材１５が作動してノズル２０のヘッド２１より風が吹き出し、浴室Ｃ内の洗い場２７や壁面２８，カウンター２９に付着した水滴を除去することができる。
【００２１】
【発明の効果】
本発明の送風機は、洗面化粧台，手洗器，流し台等の近傍に取り付けられ、風を生成する送風部材と、該送風部材に接続した送風管と、該送風管の先端に接続し、送風部材から送風される風を吹き出す送風口とを本体部に備えた送風機において、前記送風管に風の吹き出し方向を切り替える切替部材を装着し、該切替部材にホースを接続し、該ホースの先端に前記送風部材から送風される風を吹き出すノズルを結合したので、手洗い後の濡れた手を乾燥させるだけでなく、ノズルをホースと共に自由に引き出して、洗面化粧台のカウンターや洗面所の床面等の広い範囲に落下した水滴を、容易に除去することができる。
【００２２】
請求項２では、送風部材とノズルとの間には、殺菌作用のある薬剤を収容する収容部材を設けたので、ノズルから吹き出す風には殺菌作用があり、水滴を除去した場所を清潔に保つことができる。
【００２３】
請求項３では、前記洗面化粧台，手洗器，流し台等に浴室を隣接し、前記ホースは浴室内まで届く長さとしたので、ノズルをホースと共に自由に引き出して使用することで、入浴後や浴室内の清掃後等、浴室内の洗い場，壁面，カウンターに付着した水滴を容易に除去することができる。
【図面の簡単な説明】
【図１】送風機の洗面所での取付状態を示す説明図である。
【図２】送風機の拡大説明図である。
【図３】送風機の内部構造を示す説明図である。
【図４】本発明の別の実施例を示す説明図である。
【図５】本発明の更に別の実施例を示す説明図である。
【図６】従来技術の説明図である。
【符号の説明】
１　　　　　　　　　　　洗面化粧台
８　　　　　　　　　　　送風機
９　　　　　　　　　　　本体部
１１　　　　　　　　　　送風口
１４　　　　　　　　　　切替部材
１５　　　　　　　　　　送風部材
１９　　　　　　　　　　ホース
２０　　　　　　　　　　ノズル
２１　　　　　　　　　　ヘッド
２４　　　　　　　　　　収容部材
Ａ　　　　　　　　　　　洗面所
Ｂ　　　　　　　　　　　床面
【図１】
2004049702.tif 000003
【図２】
2004049702.tif 000004
【図３】
2004049702.tif 000005
【図４】
2004049702.tif 000006
【図５】
2004049702.tif 000007
【図６】
2004049702.tif 000008